(57)【要約】【課題】  種々の処理部品を能率よく高品質にメッキする。【解決手段】  メッキ用のバレルは、閉鎖されたメッキチャンバー１を内部に有すると共に、メッキ液をメッキチャンバー１に出入りさせる隙間５をチャンバー壁２に設けており、メッキ液に浸漬して回転されて、メッキチャンバー１に収納している処理部品をメッキする。チャンバー壁２は、複数の枠プレート３をスペーサー４を介して軸方向に積層して、枠プレート３の間に隙間５を設けている。枠プレート３は、チャンバー壁２の内面となる内側面に、回転されて処理部品を撹拌する撹拌凸部８を設けている。撹拌凸部８は、隣接して積層される枠プレート３の同じ位置に設けられて、隣の撹拌凸部８との間にスペーサー４で隙間５を設けており、あるいは、隣接して積層される枠プレート３の撹拌凸部８からずれた位置に設けられて、隣の撹拌凸部８と非連続に設けている。【選択図】図３
2005054263.tif 000002
【特許請求の範囲】
【請求項１】
メッキされる処理部品を入れることができる閉鎖されたメッキチャンバー(1)を内部に有し、かつそれ自体がメッキ液に浸漬されてメッキ液をメッキチャンバー(1)に出入りさせる隙間(5)をチャンバー壁(2)に設けており、メッキ液に浸漬して回転されて、メッキチャンバー(1)に収納している処理部品をメッキするようにしてなるメッキ用のバレルにおいて、
内部をメッキチャンバー(1)とするチャンバー壁(2)が、複数の枠プレート(3)をスペーサー(4)を介して軸方向に積層して、枠プレート(3)の間にメッキ液を出し入れする隙間(5)を設けてなる構造で、
さらに枠プレート(3)はチャンバー壁(2)の内面となる内側面に、回転されて処理部品を撹拌する撹拌凸部(8)を設けており、撹拌凸部(8)は隣接して積層される枠プレート(3)の同じ位置に設けられて、隣の撹拌凸部(8)との間にスペーサー(4)で隙間(5)を設けており、あるいは、隣接して積層される枠プレート(3)の撹拌凸部(8)からずれた位置に設けられて、隣の撹拌凸部(8)と非連続に設けてなることを特徴とするメッキ用のバレル。
【請求項２】
メッキされる処理部品を入れることができる閉鎖されたメッキチャンバー(1)を内部に有し、かつそれ自体がメッキ液に浸漬されてメッキ液をメッキチャンバー(1)に出入りさせる隙間(5)をチャンバー壁(2)に設けており、メッキ液に浸漬して回転されて、メッキチャンバー(1)に収納している処理部品をメッキするようにしてなるメッキ用のバレルにおいて、
内部をメッキチャンバー(1)とするチャンバー壁(2)が、複数の枠プレート(3)をスペーサー(4)を介して軸方向に積層して、枠プレート(3)の間にメッキ液を出し入れする隙間(5)を設けてなる構造で、
さらに枠プレート(3)は、チャンバー壁(2)の内面となる内側面に沿って、複数の撹拌凸部(8)を並べて設けていることを特徴とするメッキ用のバレル。
【請求項３】
枠プレート(3)の内側面の全体形状が円弧状である請求項１又は２に記載されるメッキ用のバレル。
【請求項４】
撹拌凸部(8)の内面を湾曲面としている請求項１又は２に記載されるメッキ用のバレル。
【請求項５】
隣に積層している枠プレート(3)の撹拌凸部(8)の位置を回転方向にずらしている請求項１又は２に記載されるメッキ用のバレル。
【請求項６】
チャンバー壁(2)の外側に、回転してメッキ液をメッキチャンバー(1)内に供給する羽根(12)を配設している請求項１又は２に記載されるメッキ用のバレル。
【請求項７】
枠プレート(3)にメッキ液を供給するスリット(14)を設けており、このスリット(14)を、羽根(12)と枠プレート(3)との間に設けている中空室(13)に連結している請求項６に記載されるメッキ用のバレル。
【請求項８】
導電性の枠プレート(3)と非導電性の枠プレート(3)とを積層しており、導電性の枠プレート(3)が処理部品に通電してメッキする請求項１又は２に記載されるメッキ用のバレル。
【請求項９】
枠プレート(3)が撹拌凸部(8)を設けて幅を広くしている部分に貫通孔(10)を設けており、この貫通孔(10)に枠プレート(3)を連結する連結ロッド(9)を挿通している請求項１又は２に記載されるメッキ用のバレル。
【発明の詳細な説明】
【技術分野】
【０００１】
本発明は、メッキ液に浸漬して内部のメッキチャンバーに収納している処理部品をメッキするメッキ用のバレルに関する。
【背景技術】
【０００２】
メッキ用のバレルは、メッキ槽のメッキ液に浸漬して回転される。この状態で、内部のメッキチャンバーに収納している処理部品をメッキする。処理部品を理想的な環境で高品質なメッキをするには、バレルがメッキ液をスムーズに出し入れできることと、処理部品を均一にメッキチャンバー内で撹拌することが大切である。メッキ液の出入りが悪いと、バレル内のメッキチャンバー内のメッキ液のメッキしようとする金属濃度が低下して、処理部品に効率よく綺麗にメッキでなくなり、均一に撹拌できないと、全ての処理部品の表面を均一にメッキできなくなるからである。
【０００３】
従来のバレルは、メッキ液を出入りさせるために、無数の貫通孔を設けている合成樹脂板を連結して製作している。この構造のバレルは、貫通孔を大きくしてメッキ液の出入りを良くできる。しかしながら、メッキする処理部品が小さくなると、これが漏れないように貫通孔を小さくする必要がある。このため、小さい処理部品をメッキできるバレルはメッキ液の出入りが悪くなる。また、この構造のバレルは、小さい処理部品、とくに薄い金属板で製作している処理部品をメッキするとき、処理部品が内面の特定の部分に付着して均一に撹拌できないことがある。
【０００４】
メッキ液を効率よく出し入れできない欠点は、たとえば長尺物をメッキするために開発されているバレルの構造を利用して少なくできる。（特許文献１参照）
【特許文献１】特開平６−２４０４９８号公報
【０００５】
以上の公報には、図１に示すバレルが記載される。このバレルは、リブスペーサーである複数の枠プレート３３を、複数のフレームパイプ３２でもって所定の間隔で連結している。この構造のバレルは、枠プレート３３の間に広い隙間ができるので、バレル内のメッキチャンバー３１にスムーズにメッキ液を出し入れできる。そして、小さい処理部品をメッキするために、積層する枠プレートの間隔を狭くしてもスムーズにメッキ液を出し入れできる。枠プレートの間に設けている隙間が連続するスリットであるから、貫通孔に比較すると、メッキ液の通過抵抗を小さくできるからである。
【発明の開示】
【発明が解決しようとする課題】
【０００６】
しかしながら、この構造のバレルを使用しても、全ての処理部品を高品質に均一な厚さにメッキするのが難しい。とくに、小さい処理部品をメッキチャンバーに入れてバレルを回転させると、枠プレートの隙間に処理部品の一部が挿入されて付着するからである。枠プレートの隙間に引っかかった処理部品は、他の処理部品と同じようにメッキチャンバーで回転して撹拌されず、その表面全体に均一にメッキできなくなる。
【０００７】
本発明は、さらにこの欠点を解決することを目的に開発されたものである。本発明の重要な目的は、種々の処理部品を能率よく高品質にメッキできるメッキ用のバレルを提供することにある。
【課題を解決するための手段】
【０００８】
本発明のメッキ用のバレルは、メッキされる処理部品を入れることができる閉鎖されたメッキチャンバー１を内部に有し、かつそれ自体がメッキ液に浸漬されてメッキ液をメッキチャンバー１に出入りさせる隙間５をチャンバー壁２に設けており、メッキ液に浸漬して回転されて、メッキチャンバー１に収納している処理部品をメッキする。内部をメッキチャンバー１とするチャンバー壁２は、複数の枠プレート３をスペーサー４を介して軸方向に積層して、枠プレート３の間にメッキ液を出し入れする隙間５を設けている。枠プレート３は、チャンバー壁２の内面となる内側面に、回転されて処理部品を撹拌する撹拌凸部８を設けている。撹拌凸部８は、隣接して積層される枠プレート３の同じ位置に設けられて、隣の撹拌凸部８との間にスペーサー４で隙間５を設けており、あるいは、隣接して積層される枠プレート３の撹拌凸部８からずれた位置に設けられて、隣の撹拌凸部８と非連続に設けている。
【０００９】
さらに、本発明の請求項２のメッキ用のバレルは、メッキされる処理部品を入れることができる閉鎖されたメッキチャンバー１を内部に有し、かつそれ自体がメッキ液に浸漬されてメッキ液をメッキチャンバー１に出入りさせる隙間５をチャンバー壁２に設けており、メッキ液に浸漬して回転されて、メッキチャンバー１に収納している処理部品をメッキする。内部をメッキチャンバー１とするチャンバー壁２は、複数の枠プレート３をスペーサー４を介して軸方向に積層して、枠プレート３の間にメッキ液を出し入れする隙間５を設けている。枠プレート３は、チャンバー壁２の内面となる内側面に沿って、複数の撹拌凸部８を並べて設けている。
【００１０】
本発明の請求項３のメッキ用のバレルは、枠プレート３の内側面の全体形状を円弧状としている。さらに、本発明の請求項４のメッキ用のバレルは、撹拌凸部８の内面を湾曲面としている。さらに、請求項５の本発明のメッキ用のバレルは、隣に積層している枠プレート３の撹拌凸部８の位置を回転方向にずらしている。
【００１１】
さらに、本発明の請求項６のメッキ用のバレルは、チャンバー壁２の外側に、回転してメッキ液をメッキチャンバー１内に供給する羽根１２を配設している。さらに、本発明の請求項７のバレルは、枠プレート３にメッキ液を供給するスリット１４を設けて、このスリット１４を、羽根１２と枠プレート３との間に設けている中空室１３に連結している。
【００１２】
さらに、本発明の請求項８のメッキ用のバレルは、導電性の枠プレートと非導電性の枠プレートとを積層して、導電性の枠プレートで処理部品に通電してメッキするようにしている。さらにまた、本発明の請求項９のメッキ用のバレルは、枠プレート３の撹拌凸部８を設けて幅を広くしている部分に貫通孔１０を設けて、この貫通孔１０に枠プレート３を連結する連結ロッド９を挿通している。
【発明の効果】
【００１３】
本発明のメッキ用のバレルは、種々の処理部品を能率よく高品質にメッキできる特長がある。とくに、本発明のメッキ用のバレルは、小さい処理部品であっても、内面の特定の部分に付着するのを有効に防止して、処理部品の表面全体に均一にメッキできる特長がある。それは、本発明のメッキ用のバレルが、チャンバー壁の内面となる枠プレートの内側面に処理部品を撹拌する撹拌凸部を設けているからである。本発明のメッキ用のバレルは、回転される状態で、この撹拌凸部で処理部品を撹拌するので、処理部品がバレルの内面に面接触して付着するのを有効に防止できる。とくに、本発明のバレルは、複数の撹拌凸部を隙間がある状態で連結し、あるいは、複数の撹拌凸部をずれた位置に設け、あるいはまた、複数の撹拌凸部を内面に沿って並べているので、薄い金属板の処理部品であっても、広い面積で面接触することがなく、撹拌凸部に付着するのを確実に阻止して、全ての処理部品の全面に均一にメッキできる。
【００１４】
本発明の請求項３のメッキ用のバレルは、枠プレートの内側面の全体形状を円弧状としており、また、本発明の請求項４のメッキ用のバレルは、撹拌凸部の内面を湾曲面としているので、処理部品がこれらの内面に面接触して付着するのを有効に防止できる。
【００１５】
本発明の請求項５のメッキ用のバレルは、隣に積層される枠プレートの撹拌凸部の位置を回転方向にずらしているので、処理部品を効率よく撹拌することができる。
【００１６】
本発明の請求項６のメッキ用のバレルは、チャンバー壁の外側に、回転してメッキ液をメッキチャンバー内に供給する羽根を設けているので、メッキ液を強制的にバレル内に供給できる。とくに、請求項７のメッキ用のバレルは、羽根と枠プレートとの間に設けた中空室にスリットを連結しているので、バレルが回転されると効率よくメッキ液をメッキチャンバーに供給できる。
【００１７】
さらに、本発明の請求項９のメッキ用のバレルは、枠プレートが、撹拌凸部を設けている部分に連結ロッドを挿通する貫通孔を開口しているので、撹拌凸部で貫通孔を設けている部分の幅を広くして、この部分の強度を向上できる。
【発明を実施するための最良の形態】
【００１８】
以下、本発明の実施例を図面に基づいて説明する。ただし、以下に示す実施例は、本発明の技術思想を具体化するためのメッキ用のバレルを例示するものであって、本発明はメッキ用のバレルを以下のものに特定しない。
【００１９】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２０】
図２に示すメッキ用のバレルは、メッキされる処理部品を入れることができる閉鎖されたメッキチャンバー１を内部に有する。バレルは、メッキ液に浸漬され、メッキ液をメッキチャンバー１に出入りさせる隙間５をチャンバー壁２に設けている。さらに、バレルは、メッキ液に浸漬される状態で回転されて、メッキチャンバー１に収納している処理部品をメッキする。バレルは、メッキチャンバー１に収納している処理部品に接触して通電する電極６を備える。
【００２１】
バレルは、内部をメッキチャンバー１とするチャンバー壁２を、複数の枠プレート３を積層する構造としている。枠プレート３は、スペーサー４を介して軸方向に積層される。スペーサー４は、枠プレート３の間にメッキ液を出し入れする隙間５を設ける。このバレルは、スペーサー４で隙間５ができるように積層している枠プレート３の間からメッキ液をメッキチャンバー１に出入りさせる。
【００２２】
枠プレート３は、プラスチック等の絶縁材で製作される。枠プレート３を絶縁材とするのは、枠プレート３に通電してメッキされないようにするためである。ただし、導電性の枠プレートと非導電性の枠プレートを積層してバレルとすることもできる。このバレルは、導電性の枠プレートが処理部品に通電してメッキする。したがって、導電性の枠プレートがメッキするための電極となる。
【００２３】
図３と図４に示す枠プレート３は、板材の全体形状をＣ字状としたものである。バレルは、メッキ液に浸漬して回転される。枠プレート３は、バレルの回転中心軸ｍを中心とする円形、あるいは図示しないが、回転軸を中心とする多角形に成形される。バレルは、メッキする処理部品を出し入れする開口部７を設ける必要がある。バレルの開口部７を設けるために、枠プレート３は円形や多角形の一部を切除した形状に成形される。
【００２４】
図３と図４の枠プレート３は、内側面の全体形状を円弧状としている。さらに、図の枠プレート３は、チャンバー壁２の内面となる内側面に撹拌凸部８を設けている。撹拌凸部８は、バレルを回転する状態において、処理部品を撹拌する。図３の枠プレート３は、枠プレート３を連結する連結ロッド９を挿通する貫通孔１０を開口している部分に撹拌凸部８を設けている。この枠プレート３は、撹拌凸部８を設けて、貫通孔１０の部分の幅を広くできるので、撹拌凸部８で貫通孔１０を設けている部分の強度を向上できる。ただし、撹拌凸部は、必ずしも連結ロッドを挿通する貫通孔の部分に設ける必要はない。
【００２５】
撹拌凸部８は、内面である突出面を湾曲面としている。この撹拌凸部８は、バレルを回転して処理部品を撹拌するときに、処理部品が損傷するのを防止できる。それは、撹拌凸部の尖った隅部で処理部品を擦って損傷させないからである。
【００２６】
図３の枠プレート３は、隣接して積層される枠プレート３の同じ位置に撹拌凸部８を設けている。このバレルは、図２に示すように、隣の撹拌凸部８との間にスペーサー４による隙間５が設けられるので、処理部品が撹拌凸部８の表面に面接触して付着することがない。薄い金属板である処理部品は、バレルの内面に面接触して付着しやすい。処理部品がバレルの内面に付着すると、この付着面をメッキできなくなり、あるいはメッキが薄くなる。付着してメッキ液が供給されなくなるからである。複数の撹拌凸部８を隙間５がある状態で並べた構造は、処理部品が広い面積で密着することがなく、付着しやすい薄い金属板等の処理部品が内面に付着することに起因するメッキ不良を防止できる。とくに、薄い金属板の処理部品は、回転している撹拌凸部８の前後に付着しやすい。撹拌凸部８の前面にはバレルが回転して処理部品が押圧される状態となり、撹拌凸部８の背面はバレルが回転して、処理部品が溜りやすいからである。本発明のバレルは、複数の撹拌凸部８を隙間５がある状態で連結するので、薄い金属板の処理部品は広い面積で面接触することがなく、撹拌凸部８に付着するのを確実に阻止して、全ての処理部品の全面に均一にメッキできる。
【００２７】
図２と図３に示すバレルは、隣接して積層される枠プレート３の同じ位置に撹拌凸部８を設けているが、本発明のバレルは、図示しないが、隣接して積層される枠プレートに、位置がずれるように撹拌凸部を設け、隣の撹拌凸部と非連続に撹拌凸部を設けることもできる。この構造は、隣に積層される枠プレートの撹拌凸部の位置を次第にずらせて、撹拌凸部をバレルの内面に螺旋状に設けて、処理部品を効率よく撹拌することもできる。
【００２８】
図４のバレルは、枠プレート３の内側面、すなわちチャンバー壁２の内面となる内側面に沿って、複数の撹拌凸部８を並べて設けて、枠プレート３の内側面を凹凸形状としている。このバレルは、チャンバー壁２の内面全体を凹凸面とするので、処理部品を効率よく撹拌でき、しかもひとつの撹拌凸部８の幅が枠プレート３の幅となって狭くなるので、処理部品が面接触して付着するのを確実に阻止できる。さらに、この枠プレート３は、内面に設けられる複数の撹拌凸部８によって、枠プレート３全体の強度を向上できる特長もある。とくに、図４の枠プレート３は、連結ロッド９を挿通する部分に設ける撹拌凸部８を他の部分に設ける撹拌凸部８よりも大きくしているので、大きな撹拌凸部８で貫通孔１０を設けている部分をより強固に補強できる。
【００２９】
枠プレート３は、図５の断面図に示すように、スペーサー４を介して積層して連結ロッド９で連結される。連結ロッド９は、枠プレート３に設けている貫通孔１０に挿通され、その両端を、バレルの両端に固定している端面プレート１１に固定している。スペーサー４は、枠プレート３の隙間５を特定する。したがって、スペーサー４を薄くして枠プレート３の隙間５を狭く、スペーサー４を厚くして枠プレート３の隙間５を広くできる。スペーサー４は、メッキする処理部品が枠プレート３の隙間５から外部に漏れないように、また、この隙間５に挟まれないように、処理部品に最適な厚さとして、枠プレート３の隙間５を調整する。本発明のバレルは、スペーサー４の厚さで枠プレート３の隙間５を調整できるので、簡単かつ容易に、しかも同じ形状の枠プレート３を安価に多量に製作して、組み立てる工程で隙間５を調整できる。このため、従来のバレルのように処理部品に適した形状に特別に製作する必要はない。
【００３０】
端面プレート１１は歯車である。バレルがメッキ装置にセットされると、端面プレート１１の歯車が駆動歯車（図示せず）に噛み合って、バレルは回転される。端面プレート１１も、通電しないプラスチック等の絶縁材で製作される。連結ロッド９は、一端に雄ネジを設けて、他端に鍔を設けており、一端の雄ネジにナットをねじ込んで端面プレート１１に固定される。連結ロッド９は、両端に雄ネジを設け、雄ネジにナットをねじ込んで端面プレート１１に固定することもできる。
【００３１】
図４のバレルは、チャンバー壁２の外側面に、回転してメッキ液を枠プレート３の隙間５に供給する羽根１２を固定している。この図において、バレルは矢印で示す左方向に回転されるので、羽根１２はその先端を、バレルの半径方向から左回転方向に傾斜している。羽根１２は、バレルの半径方向から回転方向にその先端が移動するように傾斜して、回転することによりメッキ液を強制的にバレル内に供給できる。
【００３２】
図６に示すバレルは、羽根１２を、枠プレート３の外側面に連結している。この図のバレルは、枠プレート３と羽根１２との間に中空室１３を設けると共に、この中空室１３に連結して枠プレート３にスリット１４を設けている。このバレルが回転されると、メッキ液は羽根１２で中空室１３に供給され、中空室１３のメッキ液はスリット１４を通過してメッキチャンバー１に供給される。したがって、バレルが回転されると効率よくメッキ液をメッキチャンバー１に供給できる。
【００３３】
羽根１２は、図７あるいは図８に示すように、スペーサー４に連結することもできる。これらの図に示すように、スペーサー４に連結する羽根１２も、その先端を、バレルの半径方向から回転方向に傾斜する。このように、スペーサー４に羽根１２を連結する構造は、羽根１２から供給されるメッキ液を、隣接する枠プレート３の間にできる隙間５からバレル内に供給できるので、枠プレート３を簡単な構造としながらメッキ液を強制的にバレル内に供給できる特長がある。
【００３４】
さらに、図示しないが、バレルは、積層している枠プレートの隙間をチャンバー壁の内側面で狭く、外側面で広くすることもできる。この枠プレートは、厚さを同じとせず、チャンバー壁の外側面から内側面に向かって次第に厚くする。この枠プレートを積層するバレルは、枠プレートの隙間が、メッキチャンバーに向かって次第に狭くなるので、枠プレートの隙間を狭くして、小さくて薄い処理部品が枠プレートの隙間に侵入しないようにしながら、メッキ液を効率よくメッキチャンバーに供給できる特長がある。それは、メッキ液は外側の広い隙間から狭い隙間を通過して、メッキチャンバーに供給されるからである。
【００３５】
さらに、図３と図４に示すバレルは、処理部品を出し入れする開口部７を閉塞蓋１５で閉塞している。閉塞蓋１５は、図９に示すように、開口部７の内形とほぼ等しい外形の枠材１６の内側に、複数のロッド１７を互いに平行に等間隔で固定したものである。この閉塞蓋１５も前述の枠プレート３と同様に、プラスチック等の絶縁材で製作される。複数のロッド１７は、チャンバー壁２に設ける隙間５と等しい間隔であって、チャンバー壁２に設けられる隙間５と同じ方向に隙間５が形成されるように配置されて枠材１６に固定される。ただ、閉塞蓋は、バレルと同様の構造として、すなわち、複数のロッドをスペーサーを介して積層して連結ロッドで連結する構造とすることもできる。図に示す閉塞蓋１５は平面形状としているが、閉塞蓋は枠プレートと同様に湾曲形状とすることもできる。さらに、図示しないが、閉塞蓋は、ロッドの内面に前述の枠プレートと同様に凸部を設けることもできる。
【００３６】
閉塞蓋１５は、バレルの開口部７に、係止構造で脱着される。図に示す閉塞蓋１５は、開口部７に外れないように連結するために、一方の側縁部に係止バー１８を設けている。この係止バー１８は、閉塞蓋１５に対して回転できるように、回転軸１９を介して連結している。図の係止バー１８はロッド１７に連結しているが、係止バーは枠材に連結することもできる。バレルの開口部７は、閉塞蓋１５の両側縁に対向する開口縁部に、閉塞蓋１５の側縁を支持する挿入凹部２０と当接部２１とを設けている。閉塞蓋１５は、係止バー１８を設けていない側の側縁を挿入凹部２０に挿入する共に、係止バー１８を設けた側の側縁を当接部２１に当接させる姿勢で開口部７に装着される。さらに、閉塞蓋１５を開口部７に装着した状態で、係止バー１８を図９の矢印Ａで示す方向に回転させて、係止バー１８の先端部を当接部２１の上部に設けた係止凹部２２に挿入する。この状態で、閉塞蓋は、係止バー１８が係止凹部２２に係止されて、枠プレート３に外れないように連結される。
【図面の簡単な説明】
【００３７】
【図１】従来のメッキ用のバレルの一例を示す断面斜視図である。
【図２】本発明の一実施例にかかるメッキ用のバレルの縦断面図である。
【図３】図２に示すメッキ用のバレルの横断面図である。
【図４】本発明の他の実施例にかかるメッキ用のバレルの横断面図である。
【図５】枠プレートの連結構造を示す拡大断面図である。
【図６】図４に示すバレルのＡ−Ａ線断面図である。
【図７】羽根をチャンバー壁に連結する他の一例を示す横断面図である。
【図８】羽根をチャンバー壁に連結する他の一例を示す断面斜視図である。
【図９】図３に示すメッキ用のバレルの閉塞蓋を示す平面図である。
【符号の説明】
【００３８】
１…メッキチャンバー
２…チャンバー壁
３…枠プレート
４…スペーサー
５…隙間
６…電極
７…開口部
８…撹拌凸部
９…ロッド
１０…貫通孔
１１…端面プレート
１２…羽根
１３…中空室
１４…スリット
１５…閉塞蓋
１６…枠材
１７…ロッド
１８…係止バー
１９…回転軸
２０…挿入凹部
２１…当接部
２２…係止凹部
３１…メッキチャンバー
３２…ロッド
３３…枠プレート
【図１】
2005054263.tif 000003
【図２】
2005054263.tif 000004
【図３】
2005054263.tif 000005
【図４】
2005054263.tif 000006
【図５】
2005054263.tif 000007
【図６】
2005054263.tif 000008
【図７】
2005054263.tif 000009
【図８】
2005054263.tif 000010
【図９】
2005054263.tif 000011